(57)【要約】【課題】  容器内の液状物を粘性の高低に係わらず、飲み易く、こぼれず、しかも加工が容易で仕上がりも良好で、使用後の廃棄も容易である易飲用性容器を提供する。【解決手段】  液状物を収容する容器２の口部３の注口筒４外周面における先端４ａと基端４ｂとを結ぶラインＬ１と、注口筒４の軸線Ｇに直交するラインＬ２とでなす角度αが、７０度以上（α≧７０度）あるため、注口筒４に口を付けると先端４ａまで充分に唇が届き飲みやすくなり、更に唇の両脇が閉じ気味になって、液状物をこぼすことなく飲め、容器２内の液状物の粘性が低くても高くても、飲み易くこぼれることがない。【選択図】      図２
2005059908.tif 000002
【特許請求の範囲】
【請求項１】
液状物を収容する容器口部の注口筒外周面における先端と基端とを結ぶラインＬ１と、
前記注口筒の軸線Ｇに直交するラインＬ２とでなす角度αが、７０度以上（α≧７０度）
であることを特徴とする易飲用性容器。
【請求項２】
液状物を収容する容器口部の注口筒における軸線Ｇ方向の高さＨと、前記注口筒外周面
における先端と基端とでなす幅Ｄとの比（Ｈ／Ｄ）が、２．７以上（Ｈ／Ｄ≧２．７）で
あることを特徴とする易飲用性容器。
【請求項３】
前記注口筒の内周縁部を注口筒の軸線Ｇとほぼ平行な面に形成した請求項１または２記
載の易飲用性容器。
【請求項４】
前記注口筒外周面の先端の周辺部を滑らか状に形成した請求項１ないし３のいずれか１
項記載の易飲用性容器。
【請求項５】
液状物を収容する容器口部に注口筒及び開栓部を設けた中栓を装着してなり、該中栓の
注口筒外周面における先端と基端とを結ぶラインＬ３と、前記中栓の軸線Ｇ１に直交する
ラインＬ４とでなす角度α１が、７０度以上（α１≧７０度）であることを特徴とする易
飲用性容器。
【請求項６】
液状物を収容する容器口部に注口筒及び開栓部を設けた中栓を装着してなり、該中栓の
注口筒における軸線Ｇ１方向の高さＨ１と、前記注口筒外周面における先端と基端とでな
す幅Ｄ１との比（Ｈ１／Ｄ１）が、２．７以上（Ｈ１／Ｄ１≧２．７）であることを特徴
とする易飲用性容器。
【請求項７】
前記中栓の前記注口筒外周面の先端の周辺部を滑らか状に形成した請求項５または６記
載の易飲用性容器。
【請求項８】
前記容器の胴部に垂直方向の折畳ビードを１以上設けると共に、該垂直方向の折畳ビー
ドより下部の胴部に水平方向の折畳ビードを１以上設けてなる請求項１ないし７のいずれ
か１項記載の易飲用性容器。
【発明の詳細な説明】
【技術分野】
【０００１】
本発明は、容器内に収容している液状物を飲み易くした易飲用性容器に関し、より詳し
くは、容器口部の注口筒外周面における先端と基端とを結ぶラインと、容器の軸線に直交
するラインとでなす角度が、７０度以上である易飲用性容器に関する。
【背景技術】
【０００２】
飲用の容器は、その内容物である液状物の漏れや菌類や異物の侵入を防ぎ、液状物の変
質を防止するためであるが、この容器内に収容されている液状物の粘性が比較的高い場合
に、口部の注口筒外径が大きくなり、容器の胴部外径とさほど変わらないものとなる。こ
のような飲用容器は、図１０に示すように、胴部ａの外径よりもわずかに小さい口部ｂが
あり、したがって、肩部ｃが明瞭でなく、口部ｂの下部外周面にネジｄを形成し、上部の
注口筒ｅの先端を狭めて注出口ｆとし、これにより口部の仕上げ適性を図ると共に、強度
を上げている。
【０００３】
また、図１１に示すように、上部の注口筒ｅの先端側を一旦狭め再び広げて注出口ｇと
し、口部ｂの強度を上げると共に、注出口ｇからの液切れを良好にして、液だれを減らし
口部ｂ、肩部ｃ、胴部ａの汚れを防ぐようにしている容器もある。
【０００４】
【特許文献１】意匠登録第８９８０６９号公報
【特許文献２】実開平７−３７９４９号公報
【特許文献３】特開２００２−１９８１５号公報
【特許文献４】特開２００２−１９８１１号公報
【０００５】
特許文献１には、口部の注口筒外径が大きく胴部外径とさほど変わらない容器が記載さ
れており、特許文献２には、容器の胴部に垂直方向の折畳ビード及び水平方向の折畳ビー
ドを設けて、使用済みの容器の折畳性を向上させたものが記載されている。
また、特許文献３には、容器の口部に中栓を装着し、この中栓に注口筒及びプルリング
付の開栓部を設けた本願出願人にかかる容器が記載されている。さらに、特許文献４には
、容器の口部に中栓を装着し、この中栓に注口筒及びプルリング付開栓部を設け、更にヒ
ンジキャップを備えた容器が記載されている。
【発明の開示】
【発明が解決しようとする課題】
【０００６】
図１０に示す容器は、注口筒ｅの先端を狭めて注出口ｆとしているため、注出口ｆから
の液切れが悪く、液だれにより口部ｂ、肩部ｃ、胴部ａが汚れ、更に、注口筒ｅに口を付
けて直接内容物の液状物を飲む際、飲みづらく更に口の両脇から液状物が漏れやすくなる
傾向がある。これは、口を付ける注口筒ｅの先端ｈと基端ｉとでなす傾斜が緩やかとなり
過ぎて（α＜７０度）、注口筒ｅに口を付けても注出口ｆに唇が届きづらくなり、その結
果、口の両脇が開き気味になって、そこから液状物が漏れることによる。
【０００７】
図１１に示す容器は、注口筒ｅの注出口ｇが広がっているため、注出口ｇからの液切れ
が良く、口部ｂ、肩部ｃ、胴部ａが汚れづらく、口を付ける注口筒ｅの先端ｈと基端ｉと
でなす傾斜がきつく（α≧７０度）、注口筒ｅに口を付けると注出口ｇに唇が届き、その
結果、口の両脇が閉じ気味になり液状物が漏れない。しかしながら、この容器は、図１２
に示すように、注出口ｇの内側がシャープエッジｊとなり、仕上げ作業を念入りにしない
と切り残りが生じ、すなわち、リーマー屑が出来て、上唇に痛みを与えたり、見栄えが悪
くなったりする。
また、特許文献１ないし４は、容器内に収容している液状物を飲み易くする工夫をした
ものではないが、本発明容器のベースとなる例が記載されている。
【０００８】
そこで、本発明の目的は、容器の内容物である液状物が粘性の低いものものであっても
、高いものであっても、飲み易く且つこぼれず、しかも加工も容易、仕上がりも良好で、
使用後の廃棄も容易である易飲用性容器を提供することにある。
【課題を解決するための手段】
【０００９】
本発明は、上記目的を達成するために提案されたものであって、下記の構成からなるこ
とを特徴とするものである。
すなわち、本発明によれば、液状物を収容する容器口部の注口筒外周面における先端と
基端とを結ぶラインＬ１と、前記注口筒の軸線Ｇに直交するラインＬ２とでなす角度αが
、７０度以上（α≧７０度）であることを特徴とする易飲用性容器が提供される。
【００１０】
また、本発明によれば、液状物を収容する容器口部の注口筒における軸線Ｇ方向の高さ
Ｈと、前記注口筒外周面における先端と基端とでなす幅Ｄとの比（Ｈ／Ｄ）が、２．７以
上（Ｈ／Ｄ≧２．７）であることを特徴とする易飲用性容器が提供される。
【００１１】
また、本発明によれば、前記注口筒の内周縁部を注口筒の軸線Ｇとほぼ平行な面に形成
した上記易飲用性容器が提供される。
【００１２】
また、本発明によれば、前記注口筒外周面の先端の周辺部を滑らか状に形成した上記易
飲用性容器が提供される。
【００１３】
また、本発明によれば、液状物を収容する容器口部に注口筒及び開栓部を設けた中栓を
装着してなり、該中栓の注口筒外周面における先端と基端とを結ぶラインＬ３と、前記中
栓の軸線Ｇ１に直交するラインＬ４とでなす角度α１が、７０度以上（α１≧７０度）で
あることを特徴とする易飲用性容器が提供される。
【００１４】
また、本発明によれば、液状物を収容する容器口部に注口筒及び開栓部を設けた中栓を
装着してなり、該中栓の注口筒における軸線Ｇ１方向の高さＨ１と、前記注口筒外周面に
おける先端と基端とでなす幅Ｄ１との比（Ｈ１／Ｄ１）が、２．７以上（Ｈ１／Ｄ１≧２
．７）であることを特徴とする易飲用性容器が提供される。
【００１５】
また、本発明によれば、前記中栓の前記注口筒外周面の先端の周辺部を滑らか状に形成
した上記易飲用性容器が提供される。
【００１６】
また、本発明によれば、前記容器の胴部に垂直方向の折畳ビードを１以上設けると共に
、該垂直方向の折畳ビードより下部の胴部に水平方向の折畳ビードを１以上設けてなる上
記易飲用性容器が提供される。
【発明の効果】
【００１７】
本発明によれば、ラインＬ１とラインＬ２とでなす角度αが７０度以上あることにより
、注口筒に口を付けると注口筒の先端まで充分に唇が届き飲みやすくなり、更に、唇の両
脇が閉じ気味になって、液状物をこぼすことなく飲める。したがって、容器の内容物であ
る液状物が粘性の低いものであっても、高いものであっても、飲み易く且つこぼれること
がない効果がある。
また、注口筒の軸線Ｇ方向の高さＨと、注口筒外周面の先端と基端とでなす幅Ｄとの比
（Ｈ／Ｄ）が２．７以上であることにより、上記効果がより一層享受出来るものとなる。
さらに、容器の口部に中栓が装着してある場合には、中栓を開封したあと、中栓の注口
筒におけるラインＬ３とラインＬ４とでなす角度α１が７０度以上あるから、注口筒に口
を付けると注口筒の先端まで充分に唇が届き飲みやすくなり、更に、唇の両脇が閉じ気味
になって、液状物をこぼすことなく飲めるようになる。
【発明を実施するための最良の形態】
【００１８】
以下に、図面を参照して本発明を実施するための最良の形態を説明する。
【実施例１】
【００１９】
図１は本発明を示す易飲用性容器の正面図、図２は本発明を示す易飲用性容器の要部の
正面図である。図において、易飲用性容器１は、液状物を収容する容器２の口部３の注口
筒４外周面における先端４ａと基端４ｂとを結ぶラインＬ１と、注口筒４の軸線Ｇに直交
するラインＬ２とでなす角度αが、７０度（α≧７０度）以上あるものである。
【００２０】
前記容器２は、形状・材質ともに特に限定されるものではないが、ポリエチレンやポリ
プロピレン等のポリオレフィンが好ましく用いられる。また、本発明の容器は、内容物が
、例えば粘性の比較的高い液状物である時に上記効果が特に実感出来る。
この実施例１では、容器２はポリエチレン製のボトル１０（以下、単にボトル１０とい
う）を用いた例を示しており、口部３、肩部１１、胴部１２及び底部１３からなり、口部
３の下部にはネジ１４が切られ二点鎖線で示される上蓋１５が螺着されている。そして、
この容器２の口部３の上部が前記注口筒４となっている。
【００２１】
この注口筒４は、その上端面が注出口１６となって、ここから液状物が他の容器に注が
れたり、あるいは注口筒４に口を付け液状物を飲み込むことが出来るようになっている。
その際、既に述べたように、注口筒４外周面のラインＬ１と、注口筒４の軸線Ｇに直交す
るラインＬ２とでなす角度αが、７０度以上ある必要がある。角度αが７０度未満である
と、注口筒４外周面に口を付けて液状物を飲み込もうとしても、注口筒４上端面の注出口
１６に唇が充分に届きづらくなり、その結果、唇の両脇が開き気味になって、液状物をこ
ぼし易くなり飲みづらくなって、更に、ボトル１０内の液状物を飲み干す前に戻すと、液
状物の液切れが悪く注口筒４外周面にたれてそこを汚すことになる。逆に、角度αが７０
度以上あると、注出口１６に唇が充分届くことになり、こぼすことなくスムーズに液状物
を飲み込むことが出来、液状物の液切れが良く、注口筒４外周面にたれてそこを汚すこと
が少なくなる。
【００２２】
また、この易飲用性容器１は、液状物を収容する容器２の口部３の注口筒４における軸
線Ｇ方向の高さＨと、注口筒４外周面における先端４ａと基端４ｂとでなす幅Ｄとの比  
（Ｈ／Ｄ）が、２．７以上であっても良い。すなわち、上述のラインＬ１とラインＬ２と
の角度がαであるから、tan α＝Ｈ／Ｄとなり、α≧７０度であるから、Ｈ／Ｄ≧tan-1 
７０となり、tan-1 ７０は少数点２位を四捨５入すると２．７以上となる。したがって、
ラインＬ１とラインＬ２との角度αが７０度（α≧７０度）以上と、高さＨと幅Ｄとの比
（Ｈ／Ｄ）が、２．７以上とは、表記が異なるのみで中身は実質的に同じである。なお、
高さＨは人の下唇の厚み程度あることがベターである。
【００２３】
そして、前記注口筒４の内周縁部４ｃは、その注口筒４の軸線Ｇとほぼ平行な面に形成
されている。この結果、ボトル１０を成型したあと、図１２に示すようなシャープエッジ
ｊが発生せず、リーマー屑も出来ず、上唇に痛みを与えたり、見栄えが悪くなったりしな
い。
【００２４】
更に、前記注口筒４の外周面の先端４ａの周辺部は滑らか状に形成されているから、注
口筒４に口を付けた際唇を痛めることがない。
【００２５】
前記ボトル１０の胴部１２に垂直方向の折畳ビード２０を１以上、すなわち、１８０度
ずらして２本設けてあり、２本の垂直方向の折畳ビード２０より下部の胴部１２に水平方
向の折畳ビード２１を１以上、すなわち、約１７５度分に分けて２本設けてある。２本の
水平方向の折畳ビード２１の切れ目２２に２本の垂直方向の折畳ビード２０の下部２０ａ
が位置するようにしている。そして、２本の垂直方向の折畳ビード２０を利用してボトル
１０の胴部１２の下部を潰し、水平方向の折畳ビード２１にて折り曲げ（図３、４参照）
、ボトル１０の胴部１２の上部も潰して折り畳み減容化（図５、６参照）して廃棄する。
【００２６】
次に、上記構成になる易飲用性容器１の利用について説明する。
まず、ボトル１０及びこれに充填する液状物、更に上蓋１５を選択し、ボトル１０内に
液状物を充填し終わったら、ボトル１０の口部１１に上蓋１５を螺着し、必要に応じてフ
ィルムを被せて包装を行い最終製品とする。
【００２７】
ユーザーは消費に際して、まず、ボトル１０の口部１１から上蓋１５を螺脱し、口部１
１の注口筒４に口を付けてボトル１０内の液状物を飲み込むが、その際、図１２に示すよ
うなシャープエッジｊが無く、リーマー屑も無いから上唇に痛みを与えることがない。そ
して、注口筒４外周面のラインＬ１と、注口筒４の軸線Ｇに直交するラインＬ２とでなす
角度αが、７０度以上あるから、注出口１６に唇が充分届き、液状物をこぼすことなくス
ムーズに飲み込むことが出来、更に液状物の切れが良く注口筒４外周面にたれて汚すこと
も少なくなる。液状物を全て飲み込むことが出来ない時は、ボトル１０の口部１１に上蓋
１５を螺着すれば衛生的に保管できる。再び液状物を飲み込む場合は、上蓋１５を螺脱す
れば飲み込める。破棄する時は２本の垂直方向の折畳ビード２０及び水平方向の折畳ビー
ド２１を利用してボトル１０を折り畳み減容化（図３ないし６参照）し、ボトル１０、包
装フィルム及び上蓋１５を分け、各自治体の分別基準に従って廃棄すれば良い。
【実施例２】
【００２８】
図７は本発明を示す易飲用性容器の正面図、図８は本発明を示す易飲用性容器の要部の
正面図、図９は本発明を示す易飲用性容器の中栓の半裁断面図である。図において、易飲
用性容器１ａは、液状物を収容する容器２（ボトル１０）の口部３に注口筒２３及び開栓
部２４を設けた中栓２５を装着してあり、この中栓２５の注口筒２３外周面における先端
２３ａと基端２３ｂとを結ぶラインＬ３と、中栓２５の軸線Ｇ１に直交するラインＬ４と
でなす角度α１が、７０度以上あるものである。すなわち、実施例１の注口筒４の代わり
に、ボトル１０の口部３に中栓２５を装着し、この中栓２５に注口筒２３及び開栓部２４
を設けて、特に、開栓部２４によりボトル１０内の液状物の保護を充分にしたものである
。この中栓２５には、ボトル１０の口部３に装着するためのインナーリング２６ａ及びア
ウターリング２６ｂがあり、開栓部２４は中栓２５の天板２７にこれを破断出来る脆弱部
２８を有し、脆弱部２８で囲われた天板２７にプルリング２９を設けてなる。したがって
、プルリング２９に手指を掛け引けば、脆弱部２８を破断して、開栓部２４を開封できる
。これによって、ボトル１０の口部３に上蓋１５が螺着してあっても、中栓２５の開栓部
２４を開封しない限り、ボトル１０内は密封状態を保持出来、内容物たる液状物の保護を
充分に出来る。なお、図７ないし９の３０は注口筒２３の上端面の注出口である。
【００２９】
また、この易飲用性容器１ａは、液状物を収容するボトル１０の口部３に注口筒２３及
び開栓部２４を設けた中栓２５を装着してあり、中栓２５の注口筒２３における軸線Ｇ１
方向の高さＨ１と、注口筒２３外周面における先端２３ａと基端２３ｂとでなす幅Ｄ１と
の比（Ｈ１／Ｄ１）が、２．７以上であっても良い。すなわち、上述のラインＬ３とライ
ンＬ４との角度がαであるから、tan α＝Ｈ１／Ｄ１となり、α≧７０度であるから、Ｈ
１／Ｄ１≧tan-1 ７０となり、tan-1 ７０は少数点２位を四捨５入すると２．７以上とな
る。したがって、ラインＬ３とラインＬ４との角度αが７０度（α≧７０度）以上と、高
さＨ１と幅Ｄ１との比（Ｈ１／Ｄ１）が、２．７以上とは、表記が異なるのみで中身は実
質的に同じである。また、中栓２５の注口筒２３外周面の先端２３ａの周辺部が滑らか状
に形成されており、注口筒２３に口を付けた際、唇を痛めることがないこと、実施例１と
同じである。その他の構成、作用は実施例１と同様なので、図面に符号を付してその説明
を省略する。
【００３０】
以上、本発明の実施例１、２を説明したが、具体的な構成はこれに限定されず、本発明
の要旨を逸脱しない範囲での変更は適宜なし得るものと理解すべきである。
【産業上の利用可能性】
【００３１】
本発明の易飲用性容器は、液状物を収容してその液状物を容器から直接飲み込むような
場合に充分利用可能性が高く、特に液状物の粘性が比較的高く飲み込みづらいような場合
に有効である。
【図面の簡単な説明】
【００３２】
【図１】本発明の実施例１の易飲用性容器の正面図である。
【図２】図１の要部正面図である。
【図３】本発明の実施例１の易飲用性容器の廃棄状況の正面図である。
【図４】図３の廃棄状況の側面図である。
【図５】図４の正面図である。
【図６】図４の側面図である。
【図７】本発明の実施例２の易飲用性容器の正面図である。
【図８】図７の要部正面図である。
【図９】本発明の実施例２の易飲用性容器の中栓の半裁断面図である。
【図１０】従来例の容器の正面図である。
【図１１】他の従来例の容器の正面図である。
【図１２】従来例の要部の一部を断面した正面図である。
【符号の説明】
【００３３】
１                        易飲用性容器
２                        容器
３，ｂ                    口部
４，２３，ｅ              注口筒
４ａ，２３ａ，ｈ          先端
４ｂ，２３ｂ，ｉ          基端
４ｃ                      内周縁部
１０                      ボトル
１１，ｃ                  肩部
１２，ａ                  胴部
１３                      底部
１４，ｄ                  ネジ
１５                      上蓋
１６，ｆ，ｇ              注出口
２０                      垂直方向の折畳ビード
２０ａ                    下部
２１                      水平方向の折畳ビード
２２                      切れ目
２４                      開栓部
２５                      中栓
２６ａ                    インナーリング
２６ｂ                    アウターリング
２７                      天板
２８                      脆弱部
２９                      プルリング
ｊ                        シャープエッジ
【図１】
2005059908.tif 000003
【図２】
2005059908.tif 000004
【図３】
2005059908.tif 000005
【図４】
2005059908.tif 000006
【図５】
2005059908.tif 000007
【図６】
2005059908.tif 000008
【図７】
2005059908.tif 000009
【図８】
2005059908.tif 000010
【図９】
2005059908.tif 000011
【図１０】
2005059908.tif 000012
【図１１】
2005059908.tif 000013
【図１２】
2005059908.tif 000014